(57)【要約】【課題】  カラー情報を通信可能なファクシミリ装置において、カラー通信での差別化を図る。【解決手段】  媒体をセットする手段、セットされた媒体からの情報を送信する手段、相手先に対応し、色空間ｓＹＣＣでの受信機能の有無、及び、受信可能な画素数を記憶する手段を有し、色空間ｓＹＣＣでのカラー通信が選択時、送信する色空間ｓＹＣＣの画素数と、通信相手先に対応し、記憶されている色空間ｓＹＣＣでの受信機能の有無、及び、受信可能な画素数に基ずき、ダイヤル前に通信の実行を決定するようにする。【選択図】  図１
2007043299.tif 000002
【特許請求の範囲】
【請求項１】
カラー情報を通信可能なファクシミリ装置において、媒体をセットする手段、セットされた媒体からの情報を送信する手段、相手先に対応し、色空間ｓＹＣＣでの受信機能の有無、及び、受信可能な画素数を記憶する手段を有し、色空間ｓＹＣＣでのカラー通信が選択時、送信する色空間ｓＹＣＣの画素数と、通信相手先に対応し、記憶されている色空間ｓＹＣＣでの受信機能の有無、及び、受信可能な画素数に基づき通信の実行を決定する事を特徴とするファクシミリ装置。
【請求項２】
請求項１に記載のファクシミリ装置において、色空間ｓＹＣＣでのカラー通信が選択時、通信相手先に対応し、記憶されている色空間ｓＹＣＣでの受信機能が無い場合は、実際のダイヤル動作をしないで、その旨を表示して通信を中断する事を特徴とするファクシミリ装置。
【請求項３】
請求項１、又は請求項２に記載のファクシミリ装置において、色空間ｓＹＣＣでのカラー通信が選択時、通信相手先に対応し、記憶されている色空間ｓＹＣＣでの受信機能が有るが、送信する色空間ｓＹＣＣの画素数より、通信相手先に対応し、記憶されている色空間ｓＹＣＣでの受信可能な画素数が少ない場合は、実際のダイヤル動作をしないで、その旨を表示して通信を中断する事を特徴とするファクシミリ装置。
【請求項４】
請求項１、請求項２、又は請求項３に記載のファクシミリ装置において、色空間ｓＹＣＣでのカラー通信が選択時、相手先に対応し記憶している色空間ｓＹＣＣでの受信機能の有無、及び、受信可能な画素数をアップデートしていく事を特徴とするファクシミリ装置。
【請求項５】
カラー情報を通信可能なファクシミリ通信方式において、媒体をセットする手段、セットされた媒体からの情報を送信する手段、相手先に対応し、色空間ｓＹＣＣでの受信機能の有無、及び、受信可能な画素数を記憶する手段を有し、色空間ｓＹＣＣでのカラー通信が選択時、送信する色空間ｓＹＣＣの画素数と、通信相手先に対応し、記憶されている色空間ｓＹＣＣでの受信機能の有無、及び、受信可能な画素数に基づき通信の実行を決定する事を特徴とするファクシミリ通信方式。
【請求項６】
請求項５に記載のファクシミリ通信方式において、色空間ｓＹＣＣでのカラー通信が選択時、通信相手先に対応し、記憶されている色空間ｓＹＣＣでの受信機能が無い場合は、実際のダイヤル動作をしないで、その旨を表示して通信を中断する事を特徴とするファクシミリ通信方式。
【請求項７】
請求項５、又は請求項６に記載のファクシミリ通信方式において、色空間ｓＹＣＣでのカラー通信が選択時、通信相手先に対応し、記憶されている色空間ｓＹＣＣでの受信機能が有るが、送信する色空間ｓＹＣＣの画素数より、通信相手先に対応し、記憶されている色空間ｓＹＣＣでの受信可能な画素数が少ない場合は、実際のダイヤル動作をしないで、その旨を表示して通信を中断する事を特徴とするファクシミリ通信方式。
【請求項８】
請求項５、請求項６、又は請求項７に記載のファクシミリ通信方式において、色空間ｓＹＣＣでのカラー通信が選択時、相手先に対応し記憶している色空間ｓＹＣＣでの受信機能の有無、及び、受信可能な画素数をアップデートしていく事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である。
【０００３】
又、別の従来例としては、特許文献１をあげることが出来る。
【特許文献１】特開２００３−０３７７４１号公報
【発明の開示】
【発明が解決しようとする課題】
【０００４】
しかしながら、色空間ｓＹＣＣのＪＰＥＧフルカラー送信を考えると、基本的には、カラー原稿情報の送信で無く、デジタルカメラで撮影しコンパクトフラッシュ（登録商標）カードに格納されているファイル情報送信のケースが多い。
【０００５】
ここで、デジタルカメラで撮影しコンパクトフラッシュ（登録商標）カードに格納されているファイル情報送信のケースで、ＰＳＴＮのみを使用する場合では、コンパクトフラッシュ（登録商標）カードに格納されている情報をそのまま送信すると、送信画素数が多すぎると受信機側で受信途中で、通信が中断され、それまでの色空間ｓＹＣＣのＪＰＥＧフルカラー送信が無駄になってしまうという欠点があった。
【課題を解決するための手段】
【０００６】
第１の本発明によれば、カラー情報を通信可能なファクシミリ装置において、媒体をセットする手段、セットされた媒体からの情報を送信する手段、相手先に対応し、色空間ｓＹＣＣでの受信機能の有無、及び、受信可能な画素数を記憶する手段を有し、色空間ｓＹＣＣでのカラー通信が選択時、送信する色空間ｓＹＣＣの画素数と、通信相手先に対応し、記憶されている色空間ｓＹＣＣでの受信機能の有無、及び、受信可能な画素数に基づき通信の実行を決定する事が可能になった。第２の本発明によれば、第１の本発明のファクシミリ装置において、色空間ｓＹＣＣでのカラー通信が選択時、通信相手先に対応し、記憶されている色空間ｓＹＣＣでの受信機能が無い場合は、実際のダイヤル動作をしないで、その旨を表示して通信を中断する事が可能になった。第３の本発明によれば、第１、２の本発明のファクシミリ装置において、色空間ｓＹＣＣでのカラー通信が選択時、通信相手先に対応し、記憶されている色空間ｓＹＣＣでの受信機能が有るが、送信する色空間ｓＹＣＣの画素数より、通信相手先に対応し、記憶されている色空間ｓＹＣＣでの受信可能な画素数が少ない場合は、実際のダイヤル動作をしないで、その旨を表示して通信を中断する事が可能になった。第４の本発明によれば、第１、２、３の本発明のファクシミリ装置において、色空間ｓＹＣＣでのカラー通信が選択時、相手先に対応し記憶している色空間ｓＹＣＣでの受信機能の有無、及び、受信可能な画素数をアップデートしていく事が可能になった。
【０００７】
これらにより、デジタルカメラで撮影しコンパクトフラッシュ（登録商標）カードに格納されている色空間ｓＹＣＣのカラーファイル情報の送信が選択された時、この宛先（相手先）に対応して、記憶されている色空間ｓＹＣＣでの受信機能の有無、及び、受信可能な画素数に基づいて、適切に、色空間ｓＹＣＣのカラー通信の実行を決定でき、無駄な通信が無くなり、ユーザにはとても使い易くなった。しかも、相手先に対応し記憶している色空間ｓＹＣＣでの受信機能の有無、及び、受信可能な画素数は、常に、情報をアップデートでき適切な色空間ｓＹＣＣのカラー通信の実行を決定できる。
【０００８】
第５から第８の本発明は、第１から第４の本発明をファクシミリ装置からファクシミリ通信方式にしたものである。
【発明の効果】
【０００９】
第１、第２、第３、第４の本発明によれば、デジタルカメラで撮影しコンパクトフラッシュ（登録商標）カードに格納されている色空間ｓＹＣＣのカラーファイル情報の送信が選択された時、この宛先（相手先）に対応して、記憶されている色空間ｓＹＣＣでの受信機能の有無、及び、受信可能な画素数に基ずいて、適切に、色空間ｓＹＣＣのカラー通信の実行を決定でき、無駄な通信が無くなり、ユーザにはとても使い易くなった。しかも、相手先に対応し記憶している色空間ｓＹＣＣでの受信機能の有無、及び、受信可能な画素数は、常に、情報をアップデートでき適切な色空間ｓＹＣＣのカラー通信の実行を決定できる。
【発明を実施するための最良の形態】
【００１０】
次に、本発明の詳細を実施例の記述に従って説明する。
【実施例１】
【００１１】
以下、図面に示す実施の形態に基ずいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、回線２ａを電話機側に接続（ＣＭＬオフ）したり、回線２ａをファクシミリ装置側に接続（ＣＭＬオン）するものである。なお、通常状態では、回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー読み取り可能な読取回路であり、読み取りデータをバス２６に出力する。
【００２０】
１６は、カラー記録可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２２】
２０は、操作部であり、ワンタッチダイヤル、短縮ダイヤル、テンキー、＊キー、＃キー、スタートキー、ストップキー、セットキー、ファイル情報の送信を選択するキー、カラー送信選択キー、その他のファンクションキーがあり、押下されたキー情報はバス２６に出力される。
【００２３】
操作部には、表示部があり、バス２６に出力されている情報を入力し、表示する。
【００２４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２５】
２６は、バスである。
【００２６】
２８は、カードインターフェイスであり、３０のカード（例えば、デジタルカメラで撮影した情報が記憶されているコンパクトフラッシュ（登録商標）カード）がセットされる。
【００２７】
図２には、本発明により、カラー関連のビット情報、さらに、新規にＩＴＵ−Ｔ勧告Ｔ．３０に追加する情報が図示されている。
【００２８】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００２９】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３０】
ＤＩＳ／ＤＴＣ信号のＦＩＦのＸビットにより、色空間ｓＹＣＣでのＪＰＥＧ符号化受信機能の有無を通知し、ＤＣＳ信号のＦＩＦのＸビットにより、色空間ｓＹＣＣでのＪＰＥＧ符号化送信を指定をする。
【００３１】
図３は、ワンタッチダイヤルＮｏに対応して、電話番号、判定ＦＬＧ（相手受信機の色空間ｓＹＣＣの受信機能、及び、色空間ｓＹＣＣでの受信可能な画素数の判定が終了したか否かを表すＦＬＧ）、色空間ｓＹＣＣの受信機能の有無、色空間ｓＹＣＣでの受信可能な画素数（１００万画素、２００万画素、３００万画素、４００万画素を考える）を登録する。
【００３２】
２４は、カラー情報を通信可能なファクシミリ装置において、媒体をセットする手段、セットされた媒体からの情報を送信する手段、相手先に対応し、色空間ｓＹＣＣでの受信機能の有無、及び、受信可能な画素数を記憶する手段を有し、色空間ｓＹＣＣでのカラー通信が選択時、送信する色空間ｓＹＣＣの画素数と、通信相手先に対応し、記憶されている色空間ｓＹＣＣでの受信機能の有無、及び、受信可能な画素数に基づき通信の実行を決定する。
【００３３】
ここで、色空間ｓＹＣＣでのカラー通信が選択時、通信相手先に対応し、記憶されている色空間ｓＹＣＣでの受信機能が無い場合は、実際のダイヤル動作をしないで、その旨を表示して通信を中断する。また、色空間ｓＹＣＣでのカラー通信が選択時、通信相手先に対応し、記憶されている色空間ｓＹＣＣでの受信機能が有るが、送信する色空間ｓＹＣＣの画素数より、通信相手先に対応し、記憶されている色空間ｓＹＣＣでの受信可能な画素数が少ない場合は、実際のダイヤル動作をしないで、その旨を表示して通信を中断する。
【００３４】
さらに、色空間ｓＹＣＣでのカラー通信が選択時、相手先に対応し記憶している色空間ｓＹＣＣでの受信機能の有無、及び、受信可能な画素数をアップデートしていく。
【００３５】
以上の制御プログラムが格納されている。
【００３６】
図４、図５、図６、図７、図８には、図１の制御の流れ図が図示されている。
【００３７】
図４において、S0は、始めを表している。
【００３８】
S２は、バス２６を介して、メモリ１８をイニシャライズする事を表している。
【００３９】
S４は、バス２６を介して、操作部の表示部をクリアする事を表している。
【００４０】
S６では、バス２６を介してＮＣＵ２のCMLをオフする。
【００４１】
Ｓ８では、ファクシミリ送信が選択されたか否かが判断されＹＥＳであるとＳ１２に進み、ＮＯであるとＳ１０に進み、その他の処理をする。
【００４２】
Ｓ１２では、操作部の情報を入力して、ファイル情報の送信が選択されたか否かが判断され、ＹＥＳであるとＳ６８に進み、ＮＯである、すなわち、原稿情報の送信が選択されているとＳ１４に進む。
【００４３】
Ｓ１４では、バス２６を介してＮＣＵ２のCMLをオンする。
【００４４】
Ｓ１６は、バス２６を介して、発呼回路を使用して指定された宛先へ発呼する事を表している。
【００４５】
Ｓ１８は、前手順を表している。
【００４６】
Ｓ２０では、操作部の情報を入力して、ワンタッチダイヤルが押下されたか否かが判断され、ＹＥＳであるとＳ２４に進み、ＮＯであるとＳ２２に進み、ファクシミリ通信の実行をする。
【００４７】
Ｓ２４では、ワンタッチダイヤル登録情報から判断して、指定された宛先の判定ＦＬＧは、「終」であるか否かが判断され、ＹＥＳであるとＳ２６に進み、ＮＯであるとＳ３０に進む。
【００４８】
Ｓ２６では、相手受信機から受信した色空間ｓＹＣＣの受信機能は、ワンタッチダイヤル登録情報に登録されている色空間ｓＹＣＣの受信機能と一致しているか否かが判断され、ＹＥＳであるとＳ４４に進み、ＮＯであるとＳ２８に進む。
【００４９】
Ｓ２８は、ワンタッチダイヤル登録情報として、宛先に対応した判定ＦＬＧに「未」、宛先に対応したｓＹＣＣ受信機能に受信したｓＹＣＣの受信機能を格納する事を表している。
【００５０】
Ｓ３０では、相手受信機から受信した色空間ｓＹＣＣの受信機能より判定して、相手受信機にｓＹＣＣの受信機能があるか否かが判断され、ＹＥＳであるとＳ２８に進み、ＮＯであるとＳ３２に進む。
【００５１】
Ｓ３２は、ワンタッチダイヤル登録情報として、宛先に対応した判定ＦＬＧに「終」、宛先に対応したｓＹＣＣ受信機能に受信したｓＹＣＣの受信機能を格納する事を表している。
【００５２】
Ｓ３４では、操作部の情報を入力して、ファイル情報の送信が選択されたか否かが判断され、ＹＥＳであるとＳ３６に進み、ＮＯであるとＳ３８に進む。
【００５３】
Ｓ３６は、操作部の表示部に、「ファイル情報の送信はできませんでした。」と表示する事を表している。何らかのキー操作でこの表示を消す。
【００５４】
Ｓ３８は、残りの前手順を実行する。ここで、ＤＣＳ信号のＦＩＦのＸビットを０にする。
【００５５】
Ｓ４０は、カラー／モノクロ原稿情報の送信を表している。
【００５６】
Ｓ４２は、後手順を表している。
【００５７】
Ｓ４４では、操作部の情報を入力して、ファイル情報の送信が選択されたか否かが判断され、ＹＥＳであるとＳ４６に進み、ＮＯであるとＳ３８に進む。
【００５８】
Ｓ４６では、相手受信機から受信した色空間ｓＹＣＣの受信機能より判定して、相手受信機にｓＹＣＣの受信機能があるか否かが判断され、ＹＥＳであるとＳ４８に進み、ＮＯであるとＳ３６に進む。
【００５９】
Ｓ４８は、残りの前手順を実行する。ここで、ＤＣＳ信号のＦＩＦのＸビットを１にする。
【００６０】
Ｓ５０は、色空間ｓＹＣＣのフルカラーファイル情報の送信を表している。
【００６１】
Ｓ５２は、後手順を表している。
【００６２】
Ｓ５４では、バス２６を介してＮＣＵ２のCMLをオフする。
【００６３】
Ｓ５６では、通信が成立したか否かが判断され、ＹＥＳであるとＳ５８に進み、ＮＯであるとＳ６２に進む。ここでの通信成立に関しては、画素数での受信不成立を考えている。
【００６４】
Ｓ５８では、今、通信した画素数は、ワンタッチダイヤル登録情報として、宛先に対応して登録されている受信画素数を超えるか否かが判断され、ＹＥＳであるとＳ６０に進み、ＮＯであるとＳ６に進む。
【００６５】
Ｓ６０は、ワンタッチダイヤル登録情報として、宛先に対応した判定ＦＬＧに「未」、宛先に対応したｓＹＣＣ受信機能に有り、宛先に対応した受信画素数に今、通信した画素数を格納する事を表している。
【００６６】
Ｓ６２では、ワンタッチダイヤル登録情報として、宛先に対応した判定ＦＬＧに「終」が記憶されているか否かが判断され、ＹＥＳであるとＳ６に進み、ＮＯであるとＳ６４に進む。
【００６７】
Ｓ６４では、今、通信した画素数は、登録されている受信画素数より１つ（ここでは、１００万画素、２００万画素、３００万画素、４００万画素を考える）上であるか否かが判断され、ＹＥＳであるとＳ６６に進み、ＮＯであるとＳ６に進む。
【００６８】
Ｓ６６は、ワンタッチダイヤル登録情報として、宛先に対応した判定ＦＬＧに「終」を格納する事を表している。
【００６９】
Ｓ６８では、操作部の情報を入力して、ワンタッチダイヤルが押下されたか否かが判断され、ＹＥＳであるとＳ７０に進み、ＮＯであるとＳ１４に進む。
【００７０】
Ｓ７０では、ワンタッチダイヤル登録情報から判断して、指定された宛先のｓＹＣＣの受信機能は有るか否かが判断され、ＹＥＳであるとＳ７４に進み、ＮＯであるとＳ７２に進む。
【００７１】
Ｓ７２は、操作部の表示部に、「この宛先へのファイル情報の送信はできません。」と表示する事を表している。何らかのキー操作でこの表示を消す。
【００７２】
Ｓ７４では、ワンタッチダイヤル登録情報から判断して、指定された宛先の判定ＦＬＧは、「終」であるか否かが判断され、ＹＥＳであるとＳ７６に進み、ＮＯであるとＳ１４に進む。
【００７３】
Ｓ７６では、送信予定の画素数は、登録されている受信画素数を超えているか否かが判断され、ＹＥＳであるとＳ７８に進み、ＮＯであるとＳ１４に進む。
【００７４】
Ｓ７８は、操作部の表示部に、「この宛先へこの画素数でのファイル情報の送信はできません。」と表示する事を表している。何らかのキー操作でこの表示を消す。
【図面の簡単な説明】
【００７５】
【図１】本発明によるファクシミリ装置の実施例のブロック図
【図２】本発明によるＤＩＳ／ＤＴＣ、ＤＣＳ信号のＦＩＦ情報の具体例
【図３】本発明にワンタッチダイヤルの登録情報
【図４】本発明による制御の流れ図
【図５】本発明による制御の流れ図
【図６】本発明による制御の流れ図
【図７】本発明による制御の流れ図
【図８】本発明による制御の流れ図
【符号の説明】
【００７６】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2007043299.tif 000003
【図２】
2007043299.tif 000004
【図３】
2007043299.tif 000005
【図４】
2007043299.tif 000006
【図５】
2007043299.tif 000007
【図６】
2007043299.tif 000008
【図７】
2007043299.tif 000009
【図８】
2007043299.tif 000010